(57)【要約】  ＬＥＤ照明装置（１）は、ＬＥＤ光源（１４）と、ＬＥＤ光源（１４）を覆う透光性のカバー部材（１１）とを備えている。このＬＥＤ照明装置（１）において、カバー部材（１１）は、側面部（例えば、鉛直側面（２３ａおよび２３ｂ）、並びに、傾斜側面（２４ａおよび２４ｂ））と、湾曲部（例えば、湾曲頂部（２２））とを少なくとも有している。側面部は、ＬＥＤ光源（１４）を間に挟んで対向する位置にそれぞれ配置され、平坦面を有している。湾曲部（２２）は、ＬＥＤ光源（１４）に対向する位置に配置され、前記平坦面のそれぞれと連続する。
2019087422.tif 000002
【特許請求の範囲】
【請求項１】
ＬＥＤ光源と、
前記ＬＥＤ光源を覆う透光性のカバー部材と
を備え、
前記カバー部材は、
前記ＬＥＤ光源を間に挟んで対向する位置にそれぞれ配置され、平坦面を有する側面部と、
前記ＬＥＤ光源に対向する位置に配置され、前記平坦面のそれぞれと連続する湾曲部と
を少なくとも有している、ＬＥＤ照明装置。
【請求項２】
前記平坦面は、前記ＬＥＤ光源の照射方向に対して平行な方向に延びている、請求項１に記載のＬＥＤ照明装置。
【請求項３】
前記平坦面は、前記ＬＥＤ光源の照射方向に対して傾斜する方向に延びている、請求項１に記載のＬＥＤ照明装置。
【請求項４】
前記ＬＥＤ光源は、載置板に載置され、
対向する位置にそれぞれ配置された各平坦面間の距離は、前記載置板の長さよりも小さくなっている、請求項１から３の何れか１項に記載のＬＥＤ照明装置。
【請求項５】
前記ＬＥＤ光源は、載置板に載置され、
前記側面部は、前記平坦面と前記載置板との間に傾斜面をさらに有する、請求項１から４の何れか１項に記載のＬＥＤ照明装置。
【請求項６】
前記平坦面は、前記ＬＥＤ光源の１／２配光角の内側に位置している、請求項１から５の何れか１項に記載のＬＥＤ照明装置。
【請求項７】
前記湾曲部の光の透過率は、前記側面部の光の透過率よりも低い、請求項１から６の何れか１項に記載のＬＥＤ照明装置。
【発明の詳細な説明】
【技術分野】
【０００１】
本開示は、ＬＥＤ光源を有するＬＥＤ照明装置に関する。
【背景技術】
【０００２】
近年、発光ダイオード（ＬＥＤ）の普及により、照明装置の光源としてＬＥＤの利用可能性が高まってきている。例えば、ＬＥＤ光源を有する照明装置は、従来の蛍光灯の代わりに、室内用の照明や、コンビニエンスストアなどの店舗の看板用の照明、店内のショーケースなどに陳列された商品を照らすための照明などとして利用することができる。【０００３】
ＬＥＤは、一般的に、蛍光灯と比べて指向性が高い。そのため、ＬＥＤ光源を用いた照明装置では、より広範な範囲を照らすために、光源の側面方向へも光を照射し、照射範囲を拡大させるための工夫が行われている。【０００４】
例えば、特許文献１では、ＬＥＤなどの指向性のある光源を備える照明装置において、側面方向への光の照射範囲を拡大することが試みられている。この照明装置は、光源の少なくとも前面を覆い、光源から放出された光を外部に放出する透光領域を有する透光カバーを備えている。透光カバーは、断面が非円形のドーム状に形成されている。
【先行技術文献】
【特許文献】
【０００５】
【特許文献１】特開２０１３−３３７２５号公報
【発明の概要】
【発明が解決しようとする課題】
【０００６】
しかし、ＬＥＤ照明装置を天井などの天面に配置した場合に、依然として照明装置の直下が最も照度が高く、それに比べて周囲の照度が低くなってしまうため、直下部分のみが目立ったり、照明装置の直下から見上げると眩しく感じたりするなどの問題がある。【０００７】
特許文献１などに記載の従来の照明装置では、光の透過率を低くすることで照明装置の直下の照度を落とすことが試みられている。しかしながら、この方法では、照明装置の全体としての光の透過率が減少するため、光の利用効率が低下し、結果として消費電力が増大する可能性がある。そこで、ＬＥＤ照明装置では、光の利用効率を落とすことなく、より均一に光を拡散することのできる構造が求められている。【０００８】
また、看板用の照明などとして用いられる場合には、看板をできるだけ薄く構成するために、照射面（看板の表示面）の背後に配置されるＬＥＤ照明装置をできるだけ薄型にするとともに、照射面のできるだけ近くにＬＥＤ照明装置を配置することが望まれる。そのため、看板用の照明には、照射面に対してより均一に光を照射することのできるＬＥＤ照明装置を用いることが望ましい。【０００９】
そこで、本発明の一局面では、より均一な光を照射することのできるＬＥＤ照明装置を提供することを目的とする。
【課題を解決するための手段】
【００１０】
本発明の一局面にかかるＬＥＤ照明装置は、ＬＥＤ光源と、前記ＬＥＤ光源を覆う透光性のカバー部材とを備えている。このＬＥＤ照明装置において、前記カバー部材は、前記ＬＥＤ光源を間に挟んで対向する位置にそれぞれ配置され、平坦面を有する側面部と、前記ＬＥＤ光源に対向する位置に配置され、前記平坦面のそれぞれと連続する湾曲部とを少なくとも有している。【００１１】
上記の本発明の一局面にかかるＬＥＤ照明装置において、前記平坦面は、前記ＬＥＤ光源の照射方向に対して平行な方向に延びていてもよい。あるいは、上記の本発明の一局面にかかるＬＥＤ照明装置において、前記平坦面は、前記ＬＥＤ光源の照射方向に対して傾斜する方向に延びていてもよい。【００１２】
上記の本発明の一局面にかかるＬＥＤ照明装置において、前記ＬＥＤ光源は、載置板に載置され、対向する位置にそれぞれ配置された各平坦面間の距離は、前記載置板の長さよりも小さくなっていてもよい。【００１３】
上記の本発明の一局面にかかるＬＥＤ照明装置において、前記ＬＥＤ光源は、載置板に載置され、前記側面部は、前記平坦面と前記載置板との間に傾斜面をさらに有していてもよい。【００１４】
上記の本発明の一局面にかかるＬＥＤ照明装置において、前記平坦面は、前記ＬＥＤ光源の１／２配光角の内側に位置していてもよい。【００１５】
上記の本発明の一局面にかかるＬＥＤ照明装置において、前記湾曲部の光の透過率は、前記側面部の光の透過率よりも低くてもよい。
【発明の効果】
【００１６】
以上のように、本発明の一局面にかかるＬＥＤ照明装置によれば、照射対象の部屋、ショーケースなどの空間に対して、より均一な光を照射することができる。
【図面の簡単な説明】
【００１７】
【図１】本発明の一実施形態にかかるＬＥＤ照明装置の外観を示す斜視図である。
【図２】図１に示すＬＥＤ照明装置の各構成部材を示す分解斜視図である。
【図３】図１に示すＬＥＤ照明装置の（ＬＥＤ光源が設置される）基台部分の構成を示す平面図である。
【図４】図１に示すＬＥＤ照明装置のＡ−Ａ面部分の構成を模式的に示す断面図である。
【図５】図１に示すＬＥＤ照明装置の（ＬＥＤ光源が設置される）基台部分の構成を示す断面図である。
【図６】図１に示すＬＥＤ照明装置を構成するカバー部材の外観を示す斜視図である。
【図７】ＬＥＤ光源の配光特性を示す図である。
【図８】図１に示すＬＥＤ照明装置のカバー部材の構造を説明するための断面模式図である。
【図９】図１に示すＬＥＤ照明装置の配光特性を示す図である。
【図１０】第１の実施形態にかかるＬＥＤ照明装置の変形例の配光特性を示す図である。
【図１１】第２の実施形態にかかるＬＥＤ照明装置の内部構成を模式的に示す断面図である。
【図１２】図１１に示すＬＥＤ照明装置の配光特性を示す図である。
【図１３】第３の実施形態にかかるＬＥＤ照明装置の内部構成を模式的に示す断面図である。
【図１４】第４の実施形態にかかるＬＥＤ照明装置の内部構成を模式的に示す断面図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
〔第１の実施形態〕
（ＬＥＤ照明装置の概略構成）
本実施形態では、本発明の一例であるＬＥＤ照明装置１を例に挙げて説明する。先ず、本実施の形態にかかるＬＥＤ照明装置１の概略構成について、図１から図３を用いて説明する。図１には、第１の実施形態にかかるＬＥＤ照明装置１の外観を示す。図２には、ＬＥＤ照明装置１の内部構成を示す。図３には、ＬＥＤ照明装置１を構成する基台１５の上面部分の構成を示す。
【００２０】
図１に示すように、ＬＥＤ照明装置１は、細長い形状を有する線状型の照明装置である。ＬＥＤ照明装置１の外周面を構成する各面のうちの少なくとも一つは、平面状になっている。本明細書では、この平面状の面を、ＬＥＤ照明装置１の底面と呼ぶ。ＬＥＤ照明装置１は、例えば、従来の蛍光灯の代わりに、部屋の照明や、店舗に設置されたショーケース内を照らす照明などとして利用することができる。なお、部屋の天井にＬＥＤ照明装置１を取り付ける場合には、ＬＥＤ照明装置１の底面部（すなわち、カバー部材１１の底面２１）が天面に取り付けられる。
【００２１】
本実施形態のＬＥＤ照明装置１は、主な構成部材として、カバー部材１１、端部支持部材１２ａ・１２ｂ、載置板１３、ＬＥＤ光源１４、基台１５、側板１６、およびネジ（固定部材）１７などを備えている。
【００２２】
カバー部材１１は、光を透過させることのできる材料で形成されている。例えば、カバー部材１１は、ポリカーボネートなどの透光性を有する樹脂を成形して形成される。カバー部材１１は、内部に空間を有する筒状の形状を有している。より具体的には、カバー部材１１は、筒状部材の一部が平面（底面２１）になっているトンネル状の形状を有している（図６参照）。カバー部材１１の内部の空間にＬＥＤ光源１４などが配置される。これにより、ＬＥＤ光源１４から照射された光は、カバー部材１１を通過して被照射物に照射される。
【００２３】
端部支持部材１２ａおよび１２ｂは、カバー部材１１の両端部にそれぞれ配置されている。端部支持部材１２ａおよび１２ｂは、カバー部材１１によって形成される内部の空間の両端部を塞いでいる。端部支持部材１２ａおよび１２ｂは、樹脂材料または金属材料などで形成されている。端部支持部材１２ａおよび１２ｂは、光を透過させる材料で形成されていてもよいし、光を遮蔽する材料で形成されていてもよい。端部支持部材１２ａには、電源から各ＬＥＤ光源１４へ電力を供給するための配線（図示せず）が貫通している。
【００２４】
載置板１３は、各ＬＥＤ光源１４を列状に並べて載置している。載置板１３は、ＬＥＤ照明装置１の長手方向に沿って延びる板状の部材である。載置板１３は、ＬＥＤ照明装置１の底面部に配置される基台１５に取り付けられている。載置板１３には、ＬＥＤ光源１４の他に、電源から各ＬＥＤ光源１４へ電力を供給するための配線（図示せず）が実装されている。
【００２５】
ＬＥＤ光源１４は、発光ダイオード素子を有している。ＬＥＤ光源１４は、蛍光灯に比べて消費電力が低く、長寿命である。また、ＬＥＤ光源１４は、蛍光灯に比べて指向性が高い。ＬＥＤ光源１４は、ＬＥＤ照明装置１の長手方向に沿って、載置板１３上に複数個並んで配置されている（図２および図３参照）。
【００２６】
基台１５は、ＬＥＤ照明装置１の長手方向に沿って延びており、ＬＥＤ照明装置１の底面部分を構成する。図２などに示すように、基台１５上には、載置板１３が配置されている。基台１５は、例えば、アルミ、銅などの熱伝導性の高い金属材料で形成されている。これにより、基台１５は、ＬＥＤ光源１４で発生した熱を奪ってＬＥＤ光源１４の温度上昇を制御するヒートシンクの役割を果たす。
【００２７】
側板１６は、カバー部材１１の長手方向の端部にそれぞれ取り付けられる。側板１６は、ネジ１７などによってカバー部材１１に固定される。そして、各側板１６を覆うように、端部支持部材１２ａおよび１２ｂがカバー部材１１に対して取り付けられる。
【００２８】
（カバー部材および基台の構成）
続いて、図４から図６を参照しながら、ＬＥＤ照明装置１を構成するカバー部材１１および基台１５のより詳しい構成を説明する。図４は、ＬＥＤ照明装置１の断面図である。図４は、図１に示すＬＥＤ照明装置１のＡ−Ａ面部分の構成を図示したものである。図４では、基台１５の図示は省略している。図５は、基台１５部分の断面構成を示す。図６は、カバー部材１１の外観を示す。
【００２９】
図４および図６に示すように、カバー部材１１は、底面２１、湾曲頂部（湾曲部）２２、鉛直側面（平坦面）２３ａおよび２３ｂ、傾斜側面（傾斜面）２４ａおよび２４ｂ、並びに、基台載置部２５ａおよび２５ｂなどを有している。
【００３０】
底面２１は、平坦な形状を有している。底面２１上には、基台１５および載置板１３が配置される。図４に示すように、ＬＥＤ光源１４は、底面２１に沿って配置された載置板１３上に配置される。したがって、ＬＥＤ光源１４からは、ＬＥＤ光源１４の上面と対向する位置にある湾曲頂部２２に向けて最も強度の高い光が発せられる。図７には、ＬＥＤ光源１４の配光特性を示す。この配光特性は、ランバート配光と呼ばれる。図７に示す例では、ＬＥＤ光源１４の１／２配光角は、１２０°である。
【００３１】
湾曲頂部２２は、底面２１に対向する位置（すなわち、ＬＥＤ光源１４の光出射面と向き合う位置）に存在し、ＬＥＤ照明装置１の長手方向に沿って延びている。湾曲頂部２２は、曲面形状を有している。湾曲頂部２２の短手方向の両側の端部（図４中の左右両側の端部）は、鉛直側面２３ａおよび２３ｂにそれぞれ連続している。
【００３２】
なお、ＬＥＤ照明装置１を、部屋またはショーケースなどの天面に取り付けて使用する場合には、カバー部材１１の底面２１が天面に接触するように配置される（図８参照）。このとき、ＬＥＤ光源１４から出射し、湾曲頂部２２を通過する光は、主として、天面から真下（直下）へ向けて照射される。そのため、湾曲頂部２２は、直下照射面と言い換えることもできる。
【００３３】
鉛直側面２３ａおよび２３ｂは、カバー部材１１の左右両側の側面の一部を構成している。鉛直側面２３ａおよび２３ｂは、湾曲頂部２２の延伸方向（長手方向）に沿って、湾曲頂部２２の左右両側に位置する。説明の便宜上、本明細書では、図４に示すＬＥＤ照明装置１の断面図において、左側に位置する鉛直側面を、鉛直側面２３ａと称し、右側に位置する鉛直側面を、鉛直側面２３ｂと称する。
【００３４】
本実施形態では、鉛直側面２３ａおよび２３ｂは、載置板１３（すなわち、ＬＥＤ光源１４の載置面）に対して垂直な方向に延びる平坦な面である。ここで、平坦な面とは、湾曲することなく真っすぐに延びる平面を意味する。ＬＥＤ光源１４から出射し、鉛直側面２３ａおよび２３ｂを通過する光は、載置板１３に対して垂直な方向に延びるこれらの平坦な面を通過することで、側方方向へ照射される光を拡散させることができる。そのため、鉛直側面（平坦面）２３ａおよび２３ｂは、鉛直拡散面と言い換えることもできる。
【００３５】
傾斜側面２４ａおよび２４ｂは、カバー部材１１の左右両側の側面の一部を構成している。図４に示すように、傾斜側面２４ａおよび２４ｂは、鉛直側面２３ａおよび２３ｂと、カバー部材１１の底面部分との間に位置する。より具体的には、左側の傾斜側面２４ａは、鉛直側面２３ａと基台載置部２５ａとの間に位置する。右側の傾斜側面２４ｂは、鉛直側面２３ｂと基台載置部２５ｂとの間に位置する。
【００３６】
傾斜側面２４ａおよび２４ｂは、載置板１３側から湾曲頂部２２側へ向かって、各傾斜側面２４ａおよび２４ｂ間の距離を狭める方向へ傾斜している。これにより、各傾斜側面２４ａおよび２４ｂから連続している各鉛直側面２３ａおよび２３ｂ間の距離Ｌ２は、載置板１３の短手方向の幅Ｌ１よりも小さくなっている（図４参照）。カバー部材１１の側面部分がこのような形状を有していることで、ＬＥＤ光源１４から出射される光を、その側方方向のより広範な範囲へ拡散させることができる。そのため、傾斜側面（傾斜面）２４ａおよび２４ｂは、傾斜拡散面と言い換えることもできる。
【００３７】
図９には、本実施形態のＬＥＤ照明装置１（すなわち、ＬＥＤ光源１４をカバー部材１１で覆った構造）の配光特性を示す。図７に示すＬＥＤ光源１４単独での配光曲線（図中Ａで示す）と、図９に示すＬＥＤ照明装置１の配光曲線（図中Ｂ１で示す）とを比較すると、ＬＥＤ照明装置１では、ＬＥＤ光源１４の側方方向へより強度の高い光を照射できることがわかる。図９に示す例では、直下から約３０°側方にずれた位置に照射される光の強度を、ＬＥＤ光源１４の直下（角度０°の位置）に照射される光の強度と同程度とすることができることがわかる。
【００３８】
また、ＬＥＤ光源１４の１／２配光角は約１２０°である（図７参照）のに対して、カバー部材１１を備えているＬＥＤ照明装置１の１／２配光角は、１８０°以上とすることができる（図９参照）。
【００３９】
基台載置部２５ａおよび２５ｂは、カバー部材１１の左右両側の側面の一部を構成している。基台載置部２５ａおよび２５ｂは、底面２１の両脇から立設した部分である。基台載置部２５ａおよび２５ｂは、カバー部材１１の内周面に凹みを形成しており、一方の基台載置部２５ａと他方の基台載置部２５ｂとの間に基台１５を挟み込んでいる。
【００４０】
図５には、基台１５および載置板１３の断面構造を示す。図５に示すように、基台１５は、載置板支持面１５ａと、載置板把持部１５ｂおよび１５ｃとを有している。載置板支持面１５ａ上には、載置板１３が配置される。載置板把持部１５ｂおよび１５ｃは、載置板１３の短手方向の両端部をそれぞれ把持する。これにより、載置板１３は、基台１５上に支持固定される。
【００４１】
以上のように、カバー部材１１の短手方向の両側面は、主として、鉛直側面２３ａまたは２３ｂ、傾斜側面２４ａまたは２４ｂ、並びに、基台載置部２５ａまたは２５ｂでそれぞれ構成されている。これにより、カバー部材１１は、各ＬＥＤ光源１４の配列に沿って左右対称の形状を有している。
【００４２】
（カバー部材の形状とＬＥＤ照明装置の配光特性について）
以下では、カバー部材１１の形状とＬＥＤ照明装置１の配光特性との関係について、図７から図９を参照しながら説明する。図７は、ＬＥＤ光源１４の配光曲線Ａを示す図である。図８は、ＬＥＤ照明装置１の内部構成を示す断面模式図である。図８は、図１に示すＬＥＤ照明装置１のＡ−Ａ面部分の断面構成を示す図である。図８では、部屋またはショーケースなどの天面にＬＥＤ照明装置１を設置し、下方へ向けて光を照射する様子を示す。図９は、ＬＥＤ照明装置１の配光曲線Ｂ１を示す図である。図７および図９は、円の中心にＬＥＤ光源１４またはＬＥＤ照明装置１を配置し、光源となるＬＥＤの指向性を直下（０°の位置）としたときの光の配光特性を示す。
【００４３】
図８では、ＬＥＤ光源１４の１／２配光角を一点鎖線で示している。また、図８では、図７に示すＬＥＤ光源１４の配光曲線Ａも図示している。上述したように、ＬＥＤ光源１４の１／２配光角は、約１２０°である。したがって、図８のＬＥＤ光源１４において、角度θは、１２０°である。
【００４４】
そして、本実施形態のカバー部材１１は、その側面を構成する鉛直側面２３ａおよび２３ｂが、ＬＥＤ光源１４の１／２配光角に収まるように構造設計されている。つまり、本実施形態のカバー部材１１では、鉛直側面２３ａおよび２３ｂのすべての領域が、角度θの範囲内に存在するような形状に設計されている。例えば、図８に示す例では、ＬＥＤ光源１４の１／２配光角の位置上に、鉛直側面２３ａおよび２３ｂと傾斜側面２４ａまたは２４ｂとの境界が位置するような形状となっている。ここで、１／２配光角とは、光源から直下（配光角０°）へ照射される光の半分（１／２）の強度の光が照射される配光角をいう。
【００４５】
但し、本実施形態にかかるＬＥＤ照明装置１において、鉛直側面２３ａおよび２３ｂ、並びに、傾斜側面２４ａおよび２４ｂの寸法は、図８に示すもの限定されない。上述したように、本実施形態のカバー部材１１は、鉛直側面２３ａおよび２３ｂが、ＬＥＤ光源１４の１／２配光角に収まるように構造設計されることが好ましい。したがって、例えば、図８に示すＬＥＤ照明装置１において、鉛直側面２３ａおよび２３ｂの寸法Ｌ３をより短くし、傾斜側面２４ａおよび２４ｂの寸法Ｌ４をより長くした形状のカバー部材１１も可能である（図８参照）。
【００４６】
鉛直側面２３ａおよび２３ｂの全領域が、ＬＥＤ光源１４の１／２配光角に収まるような形状にカバー部材１１を設計することによって、ＬＥＤ光源１４から側方へ向けて出射される光のうちの比較的強度の高い光を側方側へ拡散させることができる。これにより、ＬＥＤ光源１４から出射される光の利用効率を維持しつつ、ＬＥＤ光源１４の側方へ光を拡散させることができる。
【００４７】
図９に示すように、カバー部材１１を備えているＬＥＤ照明装置１では、ＬＥＤ光源１４から出射された光の１／２配光角は、１８０°以上となっていることがわかる。つまり、この構成によれば、ＬＥＤ光源１４の載置面と同じ平面上に沿って、ある程度の強度を有する光を照射することができる。
【００４８】
また、本実施形態にかかるＬＥＤ照明装置１によれば、図９に示すような配光特性を有する光を照射することができる。すなわち、ＬＥＤ照明装置１の直下に光が集中することを抑え、直下から側方方向へある程度の範囲内（例えば、約±３０°の配光角）に均一な強度の光を照射することができる。
【００４９】
（カバー部材の各部分の光の透過率について）
本実施形態にかかるＬＥＤ照明装置１では、透光性を有するカバー部材１１の透過率（全光線透過率）を、各部分によって異ならせることもできる。
【００５０】
例えば、ＬＥＤ照明装置１において、カバー部材１１の湾曲頂部２２の光の透過率を、カバー部材１１の側面部（すなわち、鉛直側面２３ａおよび２３ｂ、並びに、傾斜側面２４ａおよび２４ｂなど）の光の透過率よりも低くすることができる。図９に示す配光特性は、湾曲頂部２２の透過率を側面部の透過率よりも低くしたカバー部材１１を用いてＬＥＤ照明装置１を構成した場合のものである。
【００５１】
この構成によれば、ＬＥＤ光源１４の側方方向へより強度の高い光を照射できる。また、この構成によれば、直下から約３０°側方にずれた位置に照射される光の強度を、ＬＥＤ光源１４の直下（角度０°の位置）に照射される光の強度と同程度とすることができる。したがって、ＬＥＤ照明装置１から照射光を、その側方方向のより広い範囲へ拡散させることができる。
【００５２】
一方、ＬＥＤ照明装置１において、カバー部材１１の湾曲頂部２２の光の透過率を、カバー部材１１の側面部（すなわち、鉛直側面２３ａおよび２３ｂ、並びに、傾斜側面２４ａおよび２４ｂなど）の光の透過率よりも高くすることも可能である。図１０に示す配光曲線Ｂ２は、湾曲頂部２２の透過率を側面部の透過率よりも高くしたカバー部材１１を用いてＬＥＤ照明装置１を構成した場合のものである。
【００５３】
図９と図１０とを比較すると、カバー部材１１の湾曲頂部２２の光の透過率をより高くした場合（図１０）には、側方への光の拡散範囲が狭まる一方、直下周辺の光の強度は上昇することがわかる。つまり、この構成では、ＬＥＤ照明装置１の直下周辺に光を集中して照射させることができる。すなわち、カバー部材１１の湾曲頂部２２の光の透過率を、側面部の光の透過率よりも高くすることで、レンズなどの集光部材を用いることなく、特定の領域に光を集中して照射させることができる。
【００５４】
なお、カバー部材１１の各部分の光の透過率は、例えば、カバー部材１１の各部分の厚さを変更することで実現することができる。例えば、カバー部材１１の湾曲頂部２２の厚さを、側面部（すなわち、鉛直側面２３ａおよび２３ｂ、並びに、傾斜側面２４ａおよび２４ｂなど）の厚さより厚くすることで、湾曲頂部２２の光の透過率を、側面部の光の透過率よりも低くすることができる。
【００５５】
また、カバー部材１１の湾曲頂部２２を構成する樹脂材料（例えば、ポリカーボネート材料）と、カバー部材１１の側面部を構成する樹脂材料（例えば、ポリカーボネート材料）の成分を異ならせることで、カバー部材１１の各部分の光の透過率を変更することができる。
【００５６】
（第１の実施形態のまとめ）
以上のように、本実施形態にかかるＬＥＤ照明装置１は、主として、ＬＥＤ光源１４と、ＬＥＤ光源１４が載置される載置板１３と、内部にＬＥＤ光源１４を含むようにして載置板１３を覆う透光性のカバー部材１１とを備えている。カバー部材１１は、側面部と、湾曲頂部２２とを少なくとも有している。側面部は、ＬＥＤ光源１４を間に挟んで対向する位置にそれぞれ配置されている。本実施形態では、側面部は、平坦な鉛直側面２３ａおよび２３ｂと、傾斜側面２４ａおよび２４ｂとを有している。また、湾曲頂部２２は、ＬＥＤ光源１４に対向する位置に配置され、鉛直側面２３ａおよび２３ｂのそれぞれと連続している。
【００５７】
上記のカバー部材１１では、湾曲頂部２２に近い側の側面に鉛直側面２３ａおよび２３ｂが配置されており、載置板１３に近い側の側面に傾斜側面２４ａおよび２４ｂが配置されている。ＬＥＤ光源１４から側方へ照射される光のうち、配光角の比較的小さな光については鉛直側面２３ａおよび２３ｂを透過して、側方へ拡散させることができる。また、ＬＥＤ光源１４から側方へ照射される光のうち、配光角の比較的大きな光については傾斜側面２４ａおよび２４ｂを透過して、効率よく拡散させることができる。
【００５８】
したがって、本実施形態にかかるＬＥＤ照明装置１によれば、ＬＥＤ光源１４から出射される光の利用効率を維持しつつ、側方への光の拡散を促し、照射対象の空間に対して均一な光を照射することができる。そのため、光を拡散させるための光学部材を別途用いることなく、ＬＥＤ光源の側方のより広範な範囲へ光を拡散して照射させることができる。
【００５９】
また、本実施形態にかかるＬＥＤ照明装置１によれば、より薄型の構成とすることができる。すなわち、ＬＥＤ照明装置１におけるカバー部材１１の側面部に、鉛直側面２３ａおよび２３ｂを設けることにより、カバー部材１１の底面２１から湾曲頂部２２までの距離を比較的短くしても、ＬＥＤ光源１４から出射させる光が直下に集中して照射されることを抑えることができる。
【００６０】
〔第２の実施形態〕
続いて、本発明の第２の実施形態について説明する。第２の実施形態にかかるＬＥＤ照明装置１０１では、カバー部材１１１の構造が第１の実施形態とは異なっている。そこで、以下では、カバー部材１１１の構造を中心に説明する。第１の実施形態と同様の構成が適用できる構成部材については、適宜説明を省略する。
【００６１】
第２の実施形態にかかるＬＥＤ照明装置１０１は、例えば、コンビニエンスストアなどの店舗の屋外に設置される看板照明の用途に好適に用いられる。第１の実施形態と同様に、ＬＥＤ照明装置１０１は、細長い形状を有する線状型の照明装置である。
【００６２】
図１１は、第２の実施形態にかかるＬＥＤ照明装置１０１の断面図である。図１１は、図４と同様に、線状型のＬＥＤ照明装置１０１の横断面（すなわち、図１に示すＬＥＤ照明装置１のＡ−Ａ面部分に相当する断面）を示す図である。
【００６３】
本実施形態のＬＥＤ照明装置１０１は、主な構成部材として、カバー部材１１１、端部支持部材１２ａ・１２ｂ、載置板１３、ＬＥＤ光源１４、側板１６、およびネジ（固定部材）１７などを備えている。端部支持部材１２ａ・１２ｂ、載置板１３、ＬＥＤ光源１４、側板１６、およびネジ（固定部材）１７については、第１の実施形態と同様の構成が適用できる。
【００６４】
カバー部材１１１は、光を透過させることのできる材料で形成されている。カバー部材１１１の材料としては、第１の実施形態と同様に、ポリカーボネートなどの透光性を有する樹脂などが挙げられる。カバー部材１１１は、内部に空間を有する筒状の形状を有している。カバー部材１１１の内部の空間にＬＥＤ光源１４などが配置される。これにより、ＬＥＤ光源１４から照射された光は、カバー部材１１１を通過して被照射物に照射される。
【００６５】
図１１に示すように、カバー部材１１１は、底面１２１、湾曲頂部（湾曲部）１２２、第１傾斜側面（平坦面）１２３ａおよび１２３ｂ、第２傾斜側面（傾斜面）１２４ａおよび１２４ｂ、並びに、載置板把持部１２５ａおよび１２５ｂなどを有している。
【００６６】
底面１２１は、天井や看板などへのＬＥＤ照明装置１０１の取付け面となる。例えば、ＬＥＤ照明装置１０１を看板照明として利用する場合には、底面１２１を看板の背面などに取り付ける。底面１２１上には、空間１２８が形成されている。そして、空間１２８の上部に載置板１３およびＬＥＤ光源１４が配置される。空間１２８は、ＬＥＤ光源１４で発生した熱の拡散を抑制する断熱層の役割を果たす。つまり、空間１２８が設けられていることで、カバー部材１１１にＬＥＤ光源１４の熱が伝わりにくくなる。これにより、カバー部材１１１の熱による変形を抑制することが可能となる。
【００６７】
湾曲頂部１２２は、底面１２１に対向する位置に存在し、ＬＥＤ照明装置１０１の長手方向に沿って延びている。湾曲頂部１２２は、曲面形状を有している。湾曲頂部１２２の短手方向の両側の端部（図１１中の左右両側の端部）は、第１傾斜側面１２３ａおよび１２３ｂにそれぞれ連続している。
【００６８】
第１傾斜側面１２３ａおよび１２３ｂは、カバー部材１１１の左右両側の側面の一部を構成している。第１傾斜側面１２３ａおよび１２３ｂは、湾曲頂部１２２の延伸方向（長手方向）に沿って、湾曲頂部１２２の左右両側に位置する。説明の便宜上、本明細書では、図１１に示すＬＥＤ照明装置１０１の断面図において、左側に位置する第１傾斜側面を、第１傾斜側面１２３ａと称し、右側に位置する第１傾斜側面を、第１傾斜側面１２３ｂと称する。
【００６９】
本実施形態では、第１傾斜側面１２３ａおよび１２３ｂは、載置板１３（すなわち、ＬＥＤ光源１４の載置面）に対して傾斜した方向に延びる平坦な面である。ここで、平坦な面とは、湾曲することなく真っすぐに延びる平面を意味する。
【００７０】
図１１において、第１傾斜側面１２３ａおよび１２３ｂの下方側（空間１２８が設けられている側）の内側側面には、載置板把持部１２５ａおよび１２５ｂがそれぞれ設けられている。載置板把持部１２５ａおよび１２５ｂは、第１傾斜側面１２３ａおよび１２３ｂの内側側面に形成された凹部を有している。そして、一方の載置板把持部１２５ａの凹部と他方の載置板把持部１２５ｂの凹部との間に載置板１３を挟み込んでいる。
【００７１】
なお、第１傾斜側面１２３ａおよび１２３ｂは、載置板１３側から湾曲頂部１２２側へ向かって、各第１傾斜側面１２３ａおよび１２３ｂ間の距離を狭める方向へ傾斜している。
【００７２】
また、第２傾斜側面１２４ａおよび１２４ｂは、カバー部材１１１の左右両側の側面の一部を構成している。図１１に示すように、第２傾斜側面１２４ａおよび１２４ｂは、第１傾斜側面１２３ａおよび１２３ｂと、底面１２１との間に位置する。左側の第２傾斜側面１２４ａは、第１傾斜側面１２３ａと、底面１２１との間に位置する。右側の第２傾斜側面１２４ｂは、第１傾斜側面１２３ｂと、底面１２１との間に位置する。
【００７３】
なお、本実施形態では、第２傾斜側面１２４ａおよび１２４ｂは、載置板把持部１２５ａおよび１２５ｂよりも底面１２１に近い側に位置している。そして、第２傾斜側面１２４ａおよび１２４ｂは、空間１２８を形成する。
【００７４】
上記の構成により、ＬＥＤ光源１４から出射し、第１傾斜側面１２３ａおよび１２３ｂを通過する光は、載置板１３に対して傾斜した平坦な面を通過することで、側方方向へ照射される光を拡散させることができる。そのため、第１傾斜側面１２３ａおよび１２３ｂは、傾斜拡散面と言い換えることもできる。
【００７５】
（カバー部材の各部の寸法について）
続いて、本実施形態にかかるＬＥＤ照明装置１０１のカバー部材１１１の具体的な寸法の一例について説明する。
【００７６】
例えば、カバー部材１１１において、第１傾斜側面１２３ａおよび１２３ｂの傾斜角度は、ＬＥＤ光源１４の載置面の法線（載置面に垂直な線）に対して、２０°となっている。また、カバー部材１１１において、載置板１３の幅Ｌ５（光源保持面幅）を６ｍｍとし、ＬＥＤ光源１４から湾曲頂部１２２までの距離Ｌ６を７．６ｍｍとすることができる。すなわち、幅Ｌ５と距離Ｌ６との比（Ｌ６／Ｌ５、この比をアスペクト比ともいう）を、１．２以上１．３以下の範囲内とすることができる。
【００７７】
図１２には、上記の寸法を有するＬＥＤ照明装置１０１の配光特性を示す。図１２では、ＬＥＤ照明装置１０１を長手方向から見たときの配光曲線をＡで示し、ＬＥＤ照明装置１０１を短手方向（側方方向）から見たときの配光曲線をＢで示す。
【００７８】
図１２に示すように、上記構成を有するＬＥＤ照明装置１０１では、第１傾斜側面１２３ａおよび１２３ｂの側方方向へ向けて外側に光が広がり、ＬＥＤ光源１４の直下（すなわち、配光角０°の位置）の光度よりも両サイドの光度が高くなるような配光を実現することができる。このような配光特性を有するＬＥＤ照明装置１０１を看板体の内部に配置することで、看板体の内照面において均一の照度を実現し、輝度ムラの少ない薄型看板を得ることができる。
【００７９】
なお、上述したカバー部材１１１の寸法は一例であり、本発明はこれに限定されない。但し、カバー部材１１１の高さを大きくし過ぎると（すなわち、アスペクト比Ｌ６／Ｌ５を大きくし過ぎると）、ＬＥＤ光源１４の直下の光度が低下し過ぎる可能性がある。そこで、例えば、幅Ｌ５と距離Ｌ６との比を２倍以下（すなわち、Ｌ６／Ｌ５≦２）とすることが好ましい。これにより、ＬＥＤ光源１４の直下が暗くなりすぎることを抑えることができる。
【００８０】
〔第３の実施形態〕
続いて、本発明の第３の実施形態について説明する。第３の実施形態にかかるＬＥＤ照明装置２０１では、カバー部材２１１の構造が第１の実施形態とは異なっている。そこで、以下では、カバー部材２１１の構造を中心に説明する。第１の実施形態と同様の構成が適用できる構成部材については、適宜説明を省略する。
【００８１】
第３の実施形態にかかるＬＥＤ照明装置２０１は、例えば、従来の蛍光灯の代わりに、部屋の照明や、店舗に設置されたショーケース内を照らす照明などとして好適に利用することができる。第１の実施形態と同様に、ＬＥＤ照明装置２０１は、細長い形状を有する線状型の照明装置である。
【００８２】
図１３は、第３の実施形態にかかるＬＥＤ照明装置２０１の断面図である。図１３は、図４と同様に、線状型のＬＥＤ照明装置２０１の横断面（すなわち、図１に示すＬＥＤ照明装置１のＡ−Ａ面部分に相当する断面）を示す図である。
【００８３】
本実施形態のＬＥＤ照明装置２０１は、主な構成部材として、カバー部材２１１、端部支持部材１２ａ・１２ｂ、載置板１３、ＬＥＤ光源１４、側板１６、およびネジ（固定部材）１７などを備えている。端部支持部材１２ａ・１２ｂ、載置板１３、ＬＥＤ光源１４、基台１５、側板１６、およびネジ（固定部材）１７については、第１の実施形態と同様の構成が適用できる。
【００８４】
図１３に示すように、カバー部材２１１は、底面２２１、湾曲頂部（湾曲部）２２２、第１傾斜側面（平坦面）２２３ａおよび２２３ｂ、第２傾斜側面（傾斜面）２２４ａおよび２２４ｂ、並びに、基台載置部２２５ａおよび２２５ｂなどを有している。なお、図１３では、基台１５の図示は省略している。
【００８５】
底面２２１は、平坦な形状を有している。底面２２１上には、基台１５および載置板１３が配置される。第１の実施形態と同様に、ＬＥＤ光源１４は、底面２２１に沿って配置された載置板１３上に配置される。したがって、ＬＥＤ光源１４からは、ＬＥＤ光源１４の上面と対向する位置にある湾曲頂部２２２に向けて最も強度の高い光が発せられる。
【００８６】
湾曲頂部２２２は、底面２２１に対向する位置に存在し、ＬＥＤ照明装置２０１の長手方向に沿って延びている。第１の実施形態と同様に、湾曲頂部２２２は、曲面形状を有している。湾曲頂部２２２の短手方向の両側の端部（図１３中の左右両側の端部）は、第１傾斜側面２２３ａおよび２２３ｂにそれぞれ連続している。
【００８７】
なお、ＬＥＤ照明装置２０１を、部屋またはショーケースなどの天面に取り付けて使用する場合には、カバー部材２１１の底面２２１が天面に接触するように配置される。このとき、ＬＥＤ光源１４から出射し、湾曲頂部２２２を通過する光は、主として、天面から真下（直下）へ向けて照射される。そのため、湾曲頂部２２２は、直下照射面と言い換えることもできる。
【００８８】
第１傾斜側面２２３ａおよび２２３ｂは、カバー部材２１１の左右両側の側面の一部を構成している。第１傾斜側面２２３ａおよび２２３ｂは、湾曲頂部２２２の延伸方向（長手方向）に沿って、湾曲頂部２２２の左右両側に位置する。説明の便宜上、本明細書では、図１３に示すＬＥＤ照明装置２０１の断面図において、左側に位置する第１傾斜側面を、第１傾斜側面２２３ａと称し、右側に位置する第１傾斜側面を、第１傾斜側面２２３ｂと称する。
【００８９】
本実施形態では、第１傾斜側面２２３ａおよび２２３ｂは、載置板１３（すなわち、ＬＥＤ光源１４の載置面）に対して傾斜した方向に延びる平坦な面である。ここで、平坦な面とは、湾曲することなく真っすぐに延びる平面を意味する。
【００９０】
第２傾斜側面２２４ａおよび２２４ｂは、カバー部材２１１の左右両側の側面の一部を構成している。図１３に示すように、第２傾斜側面２２４ａおよび２２４ｂは、第１傾斜側面２２３ａおよび２２３ｂと、底面２２１との間に位置する。第２傾斜側面２２４ａおよび２２４ｂは、第１の実施形態のカバー部材１１の傾斜側面２４ａおよび２４ｂと同様の形状が適用できる。
【００９１】
基台載置部２２５ａおよび２２５ｂは、カバー部材２１１の左右両側の側面の一部を構成している。基台載置部２２５ａおよび２２５ｂは、底面２２１の両脇から立設した部分である。基台載置部２２５ａおよび２２５ｂは、第１の実施形態のカバー部材１１の基台載置部２５ａおよび２５ｂと同様の形状が適用できる。
【００９２】
図１３に示すように、第１傾斜側面２２３ａおよび２２３ｂ、並びに、第２傾斜側面２２４ａおよび２２４ｂは、ともに載置板１３側から湾曲頂部２２２側へ向かって、対向する各傾斜側面間の距離を狭める方向へ傾斜している。したがって、各第２傾斜側面２２４ａおよび２２４ｂとの境界付近における各第１傾斜側面２２３ａおよび２２３ｂ間の距離Ｌ１２は、載置板１３の短手方向の幅Ｌ１１よりも小さくなっている。
【００９３】
また、ＬＥＤ光源１４の載置面の法線（載置面に垂直な線）に対する第２傾斜側面２２４ａおよび２２４ｂの傾斜角度は、第１傾斜側面２２３ａおよび２２３ｂの傾斜角度よりも大きくなっている。
【００９４】
カバー部材２１１の側面部分が上記のような形状を有していることで、ＬＥＤ光源１４から出射される光を、その側方方向のより広範な範囲へ拡散させることができる。
【００９５】
〔第４の実施形態〕
続いて、本発明の第４の実施形態について説明する。第４の実施形態にかかるＬＥＤ照明装置３０１では、カバー部材３１１の構造が第１の実施形態とは異なっている。そこで、以下では、カバー部材３１１の構造を中心に説明する。第１の実施形態と同様の構成が適用できる構成部材については、適宜説明を省略する。
【００９６】
第４の実施形態にかかるＬＥＤ照明装置３０１は、第１の実施形態と同様に、細長い形状を有する線状型の照明装置である。
【００９７】
図１４は、第４の実施形態にかかるＬＥＤ照明装置３０１の断面図である。図１４は、図４と同様に、線状型のＬＥＤ照明装置３０１の横断面（すなわち、図１に示すＬＥＤ照明装置１のＡ−Ａ面部分に相当する断面）を示す図である。
【００９８】
本実施形態のＬＥＤ照明装置３０１は、主な構成部材として、カバー部材３１１、端部支持部材１２ａ・１２ｂ、載置板１３、ＬＥＤ光源１４、側板１６、およびネジ（固定部材）１７などを備えている。端部支持部材１２ａ・１２ｂ、載置板１３、ＬＥＤ光源１４、基台１５、側板１６、およびネジ（固定部材）１７については、第１の実施形態と同様の構成が適用できる。
【００９９】
図１４に示すように、カバー部材３１１は、底面３２１、湾曲頂部（湾曲部）３２２、鉛直側面（平坦面）３２３ａおよび３２３ｂ、並びに、基台載置部３２５ａおよび３２５ｂなどを有している。なお、図１４では、基台１５の図示は省略している。
【０１００】
底面３２１は、平坦な形状を有している。底面３２１上には、基台１５および載置板１３が配置される。第１の実施形態と同様に、ＬＥＤ光源１４は、底面３２１に沿って配置された載置板１３上に配置される。したがって、ＬＥＤ光源１４からは、ＬＥＤ光源１４の上面と対向する位置にある湾曲頂部３２２に向けて最も強度の高い光が発せられる。
【０１０１】
湾曲頂部３２２は、底面３２１に対向する位置に存在し、ＬＥＤ照明装置３０１の長手方向に沿って延びている。第１の実施形態と同様に、湾曲頂部３２２は、曲面形状を有している。湾曲頂部３２２の短手方向の両側の端部（図１４中の左右両側の端部）は、鉛直側面３２３ａおよび３２３ｂにそれぞれ連続している。
【０１０２】
鉛直側面３２３ａおよび３２３ｂは、カバー部材３１１の左右両側の側面を構成している。鉛直側面３２３ａおよび３２３ｂは、湾曲頂部３２２の延伸方向（長手方向）に沿って、湾曲頂部３２２の左右両側に位置する。なお、図１４では、部屋またはショーケースなどの天面にＬＥＤ照明装置３０１を設置し、下方へ向けて光を照射する様子を示す。つまり、図４などとは上下逆の状態でＬＥＤ照明装置３０１が図示されている。そのため、図１４に示すＬＥＤ照明装置１の断面図において、左側に位置する鉛直側面を、鉛直側面３２３ｂと称し、右側に位置する鉛直側面を、鉛直側面３２３ａと称する。
【０１０３】
本実施形態では、鉛直側面３２３ａおよび３２３ｂは、載置板１３（すなわち、ＬＥＤ光源１４の載置面）に対して垂直な方向に延びる平坦な面である。ここで、平坦な面とは、湾曲することなく真っすぐに延びる平面を意味する。ＬＥＤ光源１４から出射し、鉛直側面３２３ａおよび３２３ｂを通過する光は、載置板１３に対して垂直な方向に延びるこれらの平坦な面を通過することで、側方方向へ照射される光を拡散させることができる。そのため、鉛直側面３２３ａおよび３２３ｂは、鉛直拡散面と言い換えることもできる。
【０１０４】
以上のように、本実施形態にかかるＬＥＤ照明装置３０１には、カバー部材３１１の側面に傾斜拡散面は設けられていない。このような構成のＬＥＤ照明装置も、本発明の一態様に含まれる。なお、本実施形態のカバー部材３１１は、鉛直側面３２３ａおよび３２３ｂ（平坦面）の一部がＬＥＤ光源１４の１／２配光角の内側に位置している構成ということもできる。
【０１０５】
なお、本実施形態にかかるＬＥＤ照明装置３０１では、第１の実施形態と同様に、カバー部材３１１の湾曲頂部３２２の光の透過率を、カバー部材３１１の側面部（すなわち、鉛直側面３２３ａおよび３２３ｂ）の光の透過率と異ならせてもよい。
【０１０６】
例えば、ＬＥＤ照明装置３０１において、カバー部材３１１の湾曲頂部３２２の光の透過率を、カバー部材３１１の鉛直側面３２３ａおよび３２３ｂの光の透過率よりも低くすることで、ＬＥＤ光源１４の側方方向へより強度の高い光を照射できる。つまり、ＬＥＤ照明装置３０１から照射光を、その側方方向のより広い範囲へ拡散させることができる。
【０１０７】
〔まとめ〕
以上のように、本実施形態にかかるＬＥＤ照明装置１・１０１・２０１・３０１は、少なくとも一つのＬＥＤ光源１４と、ＬＥＤ光源１４を覆う透光性のカバー部材１１・１１１・２１１・３１１とを備えている。カバー部材１１・１１１・２１１・３１１は、平坦面を有する側面部（例えば、鉛直側面２３ａおよび２３ｂ、第１傾斜側面１２３ａおよび１２３ｂ、第１傾斜側面２２３ａおよび２２３ｂ、または鉛直側面３２３ａおよび３２３ｂ）と、前記平坦面のそれぞれと連続する湾曲部（例えば、湾曲頂部２２・１２２・２２２・３２２）とを少なくとも有している。
【０１０８】
本実施形態にかかるＬＥＤ照明装置１・３０１のように、前記平坦面は、ＬＥＤ光源１４の照射方向に対して平行な方向に延びている鉛直側面であることが好ましい。ここで、ＬＥＤ光源１４の照射方向とは、ＬＥＤ光源１４から最も強度の高い光が照射される方向をいう。また、本実施形態では、この方向は、ＬＥＤ光源１４の載置面に対して垂直な方向ということもできる。ＬＥＤ光源１４の照射方向に対して平行な平坦面が設けられていることによって、ＬＥＤ光源１４の側方方向へ光を拡散させることができる。
【０１０９】
また、本実施形態にかかるＬＥＤ照明装置１０１・２０１のように、前記平坦面は、ＬＥＤ光源１４の照射方向に対して傾斜する方向に延びている傾斜側面であってもよい。ここで、ＬＥＤ光源１４の照射方向とは、ＬＥＤ光源１４から最も強度の高い光が照射される方向をいう。また、本実施形態では、この方向は、ＬＥＤ光源１４の載置面に対して傾斜する方向ということもできる。
【０１１０】
また、本実施形態にかかるＬＥＤ照明装置１・２０１のように、前記ＬＥＤ光源１４は、載置板１３に載置され、対向する位置にそれぞれ配置された各平坦面間の距離（例えば、Ｌ２またはＬ１２）は、前記載置板１３の対応する方向の長さ（例えば、載置板１３の短手方向の幅Ｌ１またはＬ１１）よりも小さくなっていてもよい。
【０１１１】
また、本実施形態にかかるＬＥＤ照明装置１・２０１のように、前記側面部は、前記平坦面と前記載置板１３との間に傾斜面（例えば、傾斜側面２４ａおよび２４ｂ、または第２傾斜側面２２４ａおよび２２４ｂ）をさらに有していてもよい。
【０１１２】
また、本実施形態にかかるＬＥＤ照明装置１のように、平坦面を有する鉛直側面２３ａおよび２３ｂは、そのすべてがＬＥＤ光源１４の１／２配光角の内側に位置していてもよい。またあるいは、本実施形態にかかるＬＥＤ照明装置３０１のように、平坦面を有する鉛直側面３２３ａおよび３２３ｂの一部が、ＬＥＤ光源１４の１／２配光角の内側に位置する構成も可能である。
【０１１３】
また、本実施形態にかかるＬＥＤ照明装置１・１０１・２０１・３０１において、前記湾曲部の光の透過率（全光線透過率）は、前記側面部の光の透過率（全光線透過率）よりも低くてもよい。
【０１１４】
なお、本実施形態では、線状型の照明装置を例に挙げて説明した。しかし、本発明の別の態様では、ＬＥＤ照明装置の形態を、電球などのような点状型とすることもできる。このような場合においても、ＬＥＤ照明装置のカバー部材は、図４に示すような断面形状とすることができる。
【０１１５】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１６】
１      ：ＬＥＤ照明装置
１１    ：カバー部材
１３    ：載置板
１４    ：ＬＥＤ光源
１５    ：基台
１５ａ  ：（基台の）載置板支持面
１５ｂ  ：（基台の）載置板把持部
１５ｃ  ：（基台の）載置板把持部
２１    ：底面
２２    ：湾曲頂部（湾曲部）
２３ａ  ：鉛直側面（平坦面）
２３ｂ  ：鉛直側面（平坦面）
２４ａ  ：傾斜側面（傾斜面）
２４ｂ  ：傾斜側面（傾斜面）
２５ａ  ：基台配置部
２５ｂ  ：基台配置部
１０１  ：ＬＥＤ照明装置
１１１  ：カバー部材
１２２  ：湾曲頂部（湾曲部）
１２３ａ：第１傾斜側面（平坦面）
１２３ｂ：第１傾斜側面（平坦面）
２０１  ：ＬＥＤ照明装置
２１１  ：カバー部材
２２２  ：湾曲頂部（湾曲部）
２２３ａ：第１傾斜側面（平坦面）
２２３ｂ：第１傾斜側面（平坦面）
２２４ａ：第２傾斜側面（傾斜面）
２２４ｂ：第２傾斜側面（傾斜面）
３０１  ：ＬＥＤ照明装置
３１１  ：カバー部材
３２２  ：湾曲頂部（湾曲部）
３２３ａ：鉛直側面（平坦面）
３２３ｂ：鉛直側面（平坦面）
【図１】
2019087422.tif 000003
【図２】
2019087422.tif 000004
【図３】
2019087422.tif 000005
【図４】
2019087422.tif 000006
【図５】
2019087422.tif 000007
【図６】
2019087422.tif 000008
【図７】
2019087422.tif 000009
【図８】
2019087422.tif 000010
【図９】
2019087422.tif 000011
【図１０】
2019087422.tif 000012
【図１１】
2019087422.tif 000013
【図１２】
2019087422.tif 000014
【図１３】
2019087422.tif 000015
【図１４】
2019087422.tif 000016
【国際調査報告】
2019087422.tif 000017
2019087422.tif 000018
2019087422.tif 000019